(57)【特許請求の範囲】
【請求項１】
コイルを装着した脚部と、前記脚部の両端部に配置された一対のヨーク部とを有し、
脚部の両端に、内筒と外筒及びこれらを一体化する端面板とを備えた樹脂製のボビンを備え、
前記内筒の内側に脚部の端部が挿通され、内筒の外側にコイルを有し、コイルの端面を端面板でコイルの端部外周を外筒で覆い、
前記ボビンには、第一の保持部と第二の保持部を形成し、前記第一の保持部は、ボビンの上側に設けられ、ヨーク部側に向かって突出し、前記ヨーク部の上側外周面を保持するものであり、前記第二の保持部は、ボビンの下側に設けられ、ヨーク部側に向かって突出し、ヨーク部の下側外周面を保持するものであり、
前記第一の保持部の上面に、コイルの巻線に接続する引出線を嵌め込む凹部を有する引出線固定部を一体に形成したことを特徴とするリアクトル。
【請求項２】
脚部の間に、脚部と平行に前記一対のヨーク部を接続する中央磁脚を設け、前記一対のヨーク部それぞれを中央磁脚の両側で分割したことを特徴とする請求項１に記載のリアクトル。
【請求項３】
各脚部の両端に、脚部ごとに互いに分離されたボビンが設けられていることを特徴とする請求項１または請求項２に記載のリアクトル。
【請求項４】
前記一対のヨーク部の外側にそれぞれブラケットを配置し、この２つのブラケットによって、ヨーク部、脚部及びボビンを挟持し、２つのブラケットを脚部と平行に配置したねじによって固定したことを特徴とする請求項１または請求項２に記載のリアクトル。
【請求項５】
前記２つのブラケットを脚部と平行に配置したねじの外周に、絶縁材を設けたことを特徴とする請求項４に記載のリアクトル。
【請求項６】
前記ブラケットに、ヨーク部の外側から保持する保持板を設けたことを特徴とする請求項４に記載のリアクトル。
【請求項７】
前記保持板に、ブラケットとヨーク部を固定するねじを設けたことを特徴とする請求項６に記載のリアクトル。
【請求項８】
前記引出線の固定部に、前記凹部内に嵌め込んだ引出線を保持するための蓋を設けたことを特徴とする請求項１または請求項２に記載のリアクトル。
【請求項９】
前記脚部は、複数の柱状のコア材をスペーサを挟んで同軸に配置したギャップ付きのコアであることを特徴とする請求項１または請求項２に記載のリアクトル。
【発明の詳細な説明】
【技術分野】
【０００１】
本発明は、磁性コアとその磁性コアにコイルを巻回して成るリアクトルに関するもので、特に、組み立て時の作業性と、絶縁性能の向上を可能とする技術に係る。
【背景技術】
【０００２】
磁性コアの左右の脚部にコイルを巻回したリアクトルは、コアコイルとも呼ばれ、コアを有しない空芯のリアクトル（空心コイル）に比較して高いインダクタンスを有する。そのため、フィルタや昇圧チョーク、あるいは力率改善などの用途に、従来から広く使用されている。
【０００３】
このような磁性コアを有するリアクトルとしては、各種の公知技術が存在するが、その１つに、下記の特許文献1に記載されるものがある。図１３に示すように、このリアクトルは、前後のヨーク１００と左右の脚部１０１を四角の枠状に構成し、左右の脚部１０１の外周にそれぞれコイル１０２を配置したものである。
【０００４】
この従来技術において、前後のヨーク１００と左右の脚部１０１との間には、絶縁を確保するためのボビン１０３が設けられている。このボビン１０３には、左右の脚部１０１の端部が貫通する開口部１０４が２つ設けられている。ボビン１０３には、ねじ穴１０５が設けられ、このねじ穴１０５にコイル１０２の端部１０２ａと、引出線側の端子１０６がねじ止めされる。
【先行技術文献】
【特許文献】
【０００５】
【特許文献１】特開２０１０−２５１４１７号公報
【発明の概要】
【発明が解決しようとする課題】
【０００６】
前記のような従来技術は、ボビン１０３にコイル１０２の端部１０２ａと引出線の端子１０６をねじ止めするものであるから、引出線の固定が面倒であった。また、従来技術は、一方のボビン１０３にのみ引出線の端子１０６をねじ止めするので、コイル１０２と引出線の接続方向が制限される。
【０００７】
従来技術は、１つのボビン１０３に設けられた２つの開口部１０４に、左右の脚部１０１をそれぞれ挿入する必要があり、ボビン１０３をヨーク１００と脚部１０１の間に配置する際に、ボビン１０３と脚部１０１、あるいはボビン１０３とヨーク１００とが位置ずれを起こしやすい。特に、従来技術は、左右の脚部１０１に装着する左右のコイル１０２が１本の巻線から構成されているが、左右のコイルが別々の巻線からなる別部材の場合には、２つのコイル１０２を１つのボビン１０３にセットすることになり、コイルの位置決めが難しい。
【０００８】
従来技術は、ボビン１０３がヨーク１００と脚部１０１の間に挟まれる板状の部材であるから、コイル１０２の端部外周が露出すると共に、ボビン１０３絶縁性能を決定する沿面距離が短く、コイル１０２端部の絶縁性能を向上させることが難しい。
【０００９】
本発明は、前記のような従来技術の問題点を解決するために提案されたものである。すなわち、本発明は、コイルに接続する引出線の固定が簡単に行えると共に、組立作業を容易に実施することができ、コイル端部の絶縁性にも優れたリアクトルを提供することを目的とする。
【課題を解決するための手段】
【００１０】
本発明のリアクトルは、次のような特徴を有する。
（１）コイルを装着した脚部と、前記脚部の両端部に配置された一対のヨーク部とを有する。
（２）脚部の両端に、内筒と外筒及びこれらを一体化する端面板とを備えた樹脂製のボビンを備える。
（３）前記内筒の内側に脚部の端部が挿通され、内筒の外側にコイルを有し、コイルの端面を端面板でコイルの端部外周を外筒で覆う。
（４）ボビンには、第一の保持部と第二の保持部を形成し、前記第一の保持部は、ボビンの上側に設けられ、ヨーク部側に向かって突出し、前記ヨーク部の上側外周面を保持するものであり、前記第二の保持部は、ボビンの下側に設けられ、ヨーク部側に向かって突出し、ヨーク部の下側外周面を保持するものである。
（５）前記第一の保持部の上面に、コイルの巻線に接続する引出線を嵌め込む凹部を有する引出線固定部を一体に形成する。
【００１１】
本発明において、対向するヨーク部の外側にそれぞれブラケットを配置し、この２つのブラケットによって、ヨーク部、脚部及びボビンを外側から挟持し、２つのブラケットをねじ止めすることで、ケースに収納したリアクトルを作成することもできる。前記引出線の固定部に、凹部内に嵌め込んだ引出線を保持するための蓋を設けることができる。
【００１２】
本発明において、２本の脚部の間に、脚部と平行にヨーク部を接続する中央磁脚を設けることもできる。その場合、ヨーク部を中央磁脚の両側で分割した形状とすることができる。
【発明の効果】
【００１３】
本発明では、ボビンに設けた凹部内に引出線を嵌め込むことで、ボビンと引出線のねじ止めが不要になる。本発明では、ボビンに設けた保持部とヨーク部外周とを接触させ、ヨーク部とボビンの位置決めを行うことができるので、各部材の組み立て精度が向上する。本発明では、コイルの端部がボビンで被覆され、外筒を設けたことによりボビンの沿面距離が長くなるので、コイル端部の絶縁性能が向上する。
【図面の簡単な説明】
【００１４】
【図１】第１実施形態のリアクトルを、リード線の引出方向から見た斜視図。
【図２】第１実施形態のリアクトルを、図１とは反対方向から見た斜視図。
【図３】第１実施形態のリアクトルの分解斜視図。
【図４】第１実施形態のリアクトルにおけるボビンを、コアのヨーク部側から見た斜視図。
【図５】第１実施形態のリアクトルにおけるボビンを、コアの脚部側から見た斜視図。
【図６】第１実施形態のリアクトルにおけるケースの斜視図。
【図７】第２実施形態のリアクトルを、リード線の引出方向から見た斜視図。
【図８】第２実施形態のリアクトルを、図１とは反対方向から見た斜視図。
【図９】第２実施形態のリアクトルの分解斜視図。
【図１０】第２実施形態のリアクトルにおけるボビンを、コアのヨーク部側から見た斜視図。
【図１１】第２実施形態のリアクトルにおけるボビンを、コアの脚部側から見た斜視図。
【図１２】第２実施形態のリアクトルにおけるケースの斜視図。
【図１３】従来技術のリアクトルの一例を示す分解斜視図。
【発明を実施するための形態】
【００１５】
［１．第１実施形態］
［１−１．構成］
図１から図６に示すとおり、本実施形態のリアクトルは、基本的には、四角の枠状をしたコア１０と、このコア１０の脚部１１ａ，１１ｂの両端にそれぞれ装着された４個のボビン２０と、このボビン２０の外周に巻回されたコイル３０と、これらの外側に配置されたケース４０とから構成されている。
【００１６】
ボビン２０は、樹脂材料の一体成形品によって構成されている。樹脂材料としては、リアクトルの使用温度おける耐熱性、耐候性に優れたものを使用する。例えば、エポキシ、ポリフェニレンスルファイドなどである。ケース４０は、アルミニウムやその合金のように、非磁性材料で放熱性に優れたものによって構成されている。
【００１７】
コア１０は、所定の間隔を保って平行に配置された一対の脚部１１ａ，１１ｂと、その両端部に配置された一対のヨーク部１２ａ，１２ｂを、四角の枠状に組み上げたものである。各脚部１１ａ，１１ｂは、３つの円柱状コア材１３をギャップ形成用のスペーサ１４を挟んで同軸に配置し、その外周に絶縁材１５を筒状に配置したものである。
【００１８】
各ヨーク部１２ａ，１２ｂは、四角のブロック状コア材の四隅を斜めに切除したような八角形の部材である。各ヨーク部１２ａ，１２ｂ部の前記脚部１１ａ，１１ｂとの接合面には、円柱状をした脚部１１ａ，１１ｂの端部が配置される円形の凹部１６が設けられている。この凹部１６の底面と脚部１１ａ，１１ｂの端面との間にも、スペーサ１４が配置される。
【００１９】
各脚部１１ａ，１１ｂの両端には、ボビン２０がそれぞれ装着されている。このボビン２０の構成は、図４及び図５の拡大図に示す通りである。ボビン２０は、コイル３０の巻厚に相当する寸法に合わせて離れて配置された内筒２０ａと外筒２０ｂ、及びこれらを接続するリング状の端面板２０ｃを備えている。端面板２０cは、内筒２０ａと外筒２０ｂのヨーク部側に一体に形成されている。すなわち、ボビン２０の内筒２０ａの内側に円柱状の脚部１１ａ，１１ｂが挿入され、内筒２０ａの外側がコイル３０の内側に挿入される。コイル３０の端面はリング状の端面板２０ｃによって被覆され、コイル３０の端部外面は外筒２０ｂによって被覆される。
【００２０】
ボビン２０には、引出線の固定部２０ｄが一体に設けられている。この引出線の固定部２０ｄは、コイル３０から伸びる一対の引出線３１ａ，３１ｂを固定するためのものである。引出線の固定部２０ｄは、ボビン２０の外筒２０ｂと一体に設けられた平坦な部材であって、その表面には、引出線を嵌め込むための一対の凹部２０ｅ，２０ｆが設けられている。この凹部２０ｅ，２０ｆは、凹部内に引出線を嵌め込んだ状態で、ボビン２０とは別体の蓋２０ｇによって被覆される。引出線の固定部２０ｄには、蓋２０ｇを止めるために、一対のフック状の係止部２０ｈが設けられている。蓋２０ｇには、この係止部２０ｈが係合する凹部２０ｉが設けられている。
【００２１】
ボビン２０のヨーク部側の部分には、ボビン２０をコア１０に対して正確に位置決めするための２つの部材が設けられている。まず、引出線の固定部２０ｄの下面には、八角形をしたヨーク部１２ａ，１２ｂの外周面の角の形状に合わせて、屋根形をした第１の保持部２０ｊが、リング状の端面板２０ｃの表面からヨーク部側に向かって突出している。ボビン２０における引出線の固定部２０ｄの反対側には、ヨーク部１２ａ，１２ｂの外周面に接触する第２の保持部２０ｋが、リング状の端面板２０ｃの表面からヨーク部側に向かって突出している。
【００２２】
コイル３０は、コア１０の脚部１１ａ，１１ｂに装着されている。すなわち、コイル３０の両端にボビン２０がそれぞれ配置され、コイル３０の内側の開口部内にボビン２０の内筒２０ａが挿入され、内筒２０ａの内側に絶縁材１５を巻いた円柱状の脚部１１ａ，１１ｂが挿入されている。コイル３０の巻き始めと巻き終わりの端部には、引出線３１ａ，３１ｂが、接続金具３２を用いて、それぞれ接続されている。接続金具３２の外周は、チューブ状の絶縁部材３３によって被覆されている。
【００２３】
ケース４０は、コア１０とボビン２０及びコイル３０を外側から挟持する一対のブラケット４１ａ，４１ｂから構成されている。図６に示すように、引出線を引き出す側のブラケット４１ａは、引出線を引き出さない側のブラケット４１ｂに比較して、高さが低くなっている。各ブラケットには、ヨーク部１２ａ，１２ｂの短辺側を外側から保持する２つの保持板４２と、ヨーク部１２ａ，１２ｂの長辺側を下方（コイル３０の引出線のない側）から支える２つの支持板４３が設けられている。
【００２４】
各ブラケットには、コア１０とボビン２０及びコイル３０を外側から挟持した状態において、ブラケット同士を固定するためのねじ４５を挿通するためのねじ穴４４ａ，４４ｂが設けられている。ブラケット４１ａ側のねじ穴４４ａは、ねじ４５を挿通するために、ねじ４５の外径よりも大きな開口部になっている。ブラケット４１ｂ側のねじ穴４４ｂは、ねじ４５の先端が締結できるように内周に雌ねじが形成されている。
【００２５】
本実施形態では、このねじ穴４４ａ，４４ｂは、ブラケットの中央部の上下にそれぞれ設けられており、このねじ穴４４に挿通したねじ４５が２つのコイル３０の間に形成された隙間に配置されている。ねじ４５の外周には、チューブ状の絶縁材４６が嵌め込まれ、コイル３０との絶縁が確保されている。本実施形態では、引出線との絶縁を確保するために、上方のねじ４５にのみ絶縁材４６が設けられているが、絶縁材４６を上下のねじ４５の両方に設けても良い。
【００２６】
引出線を引き出さない側のブラケット４１ｂには、リアクトルを他の部材に固定するため等の目的で使用される取付板４７ａ，４７ｂが設けられている。この取付板４７ａ，４７ｂは、ブラケット４１ｂにおける２つの保持板４２が存在しない部分に設けられている。取付板４７ａ，４７ｂには、取付用のねじ（図示せず）を挿入するためのねじ穴４８ａまたは切り欠き４８ｂが設けられている。
【００２７】
［１−２．作用］
このような構成を有する本実施形態のリアクトルを組み立てるには、円柱状のコア材１３をスペーサ１４を挟んで同軸に配置し、その外周に絶縁材１５を筒状に配置することで、左右の脚部１１ａ，１１ｂを形成する。一方、巻回されたコイル３０については、巻線端部に接続金具３２及び絶縁部材３３を用いて引出線を接続しておく。
【００２８】
引出線を接続したコイル３０の両端に、ボビン２０をそれぞれ装着する。すなわち、コイル３０の内側にボビン２０の内筒２０ａを挿入することで、コイル３０の端面をボビン２０の端面板２０ｂで被覆すると共に、コイル３０の端部外周を外筒２０ｃで被覆する。この場合、引出線を固定する側のボビン２０については、ボビン２０に形成した凹部２０ｅ，２０ｆ内に引出線を３１ａ，３１ｂをはめ込み、その上から蓋２０ｇを被せる。蓋２０ｇは、ボビン２０に設けた係止部２０ｈを、蓋２０ｇの凹部２０ｉに引っかけることにより、ボビン２０に固定される。
【００２９】
この状態で、両端のボビン２０及びコイル３０の内側に、絶縁材１５で絶縁した脚部１１ａ，１１ｂを挿入し、脚部１１ａ，１１ｂの端部をボビン２０の端面板２０ｃの表面から突出させる。この突出した脚部１１ａ，１１ｂの端部が、ヨーク部１２ａ，１２ｂの凹部１６に入り込むようにして、ヨーク部１２ａ，１２ｂの内面をボビン２０の端面板２０ｃの表面に重ね合わせる。すると、左右のボビン２０に形成した保持部２０ｊによってヨーク部１２ａ，１２ｂの上方の角部が嵌まり込み、同時にヨーク部１２ａ，１２ｂの下部はボビン２０に設けられた保持部２０ｋによって支えられる。その結果、ヨーク部１２ａ，１２ｂとボビン２０、及びボビン２０の内側に嵌め込まれている脚部とヨーク部１２ａ，１２ｂの位置決めがなされ、ボビン２０及び脚部がその軸を中心として回動することがないので、枠状に組み上げられたヨーク部１２ａ，１２ｂと脚部の位置決めも行われる。
【００３０】
前記の様にして、ヨーク部１２ａ，１２ｂと脚部から成る枠状のコア１０、脚部１１ａ，１１ｂに装着したボビン２０及びコイル３０の組立が終わった後は、ヨーク部１２ａ，１２ｂの外側からケース４０を構成するブラケット４１ａ，４１ｂを被せる。次いで、絶縁材４６を嵌め込んだねじ４５を、ブラケット４１ａ，４１ｂのねじ穴４４ａ，４４ｂを利用して締結することにより、コア１０、ボビン２０及びコイル３０を外側から固定する。ブラケット４１ａ，４１ｂに設けた保持板４２がヨーク部１２ａ，１２ｂの側面に外側から係合することにより、ブラケット４１ａ，４１ｂとの位置ずれが防止される。
【００３１】
［１−３．効果］
本実施形態のリアクトルは、次のような効果を奏する。
（１）ボビン２０に引出線３１ａ，３１ｂを固定するための凹部２０ｅ，２０ｆを設けたので、引出線３１ａ，３１ｂの位置決めが容易且つ正確に行える。特に、本実施形態では、凹部２０ｅ，２０ｆに蓋２０ｇを設け、引出線３１ａ，３１ｂが凹部から外れることを防止しているので、組み立て時の利便性に加えて、リアクトルの使用時に振動などで引出線３１ａ，３１ｂが凹部２０ｅ，２０ｆから外れるおそれがない。また、ボビン２０に引出線３１ａ，３１ｂを固定するための凹部２０ｅ，２０ｆを一体に設けたので、ケース４０やその他の部材に引出線の固定手段を設ける必要がなくなり、リアクトルの構成が単純化する。
【００３２】
（２）ボビン２０を、内筒２０ａと外筒２０ｂ及び端面板２０ｃから成るＵ字形の断面構造として、内筒２０ａの内周で脚部１１ａ，１１ｂを保持し、内筒２０ａの外周でコイル３０を保持したので、脚部１１ａ，１１ｂとコイル３０との位置決めを正確に行うことができる。また、コイル３０の端部を、内筒２０ａと外筒２０ｂ及び端面板２０ｃから成るＵ字形の断面構造によって被覆したので、絶縁部材であるボビンの沿面距離が長くなると共にボビンがシールドとしても機能し、コイル３０の端部の絶縁特性を向上させることができる。
【００３３】
（３）左右のボビン２０に形成した保持部２０ｊによってヨーク部１２ａ，１２ｂの上方の角部が嵌まり込み、同時にヨーク部１２ａ，１２ｂの下部はボビン２０に設けられた保持部２０ｋによって支えられる結果、ヨーク部１２ａ，１２ｂとボビン、及びボビンの内側に嵌め込まれている脚部とヨーク部１２ａ，１２ｂの位置決めが正確に行え、組立作業も容易である。
【００３４】
（４）ケースを構成する２つのブラケットを脚部と平行に配置した２本のねじ４５によって固定したが、このうち、引出線に近接する側のねじ４５については、その外周に絶縁材４６を設けたので、ねじ４５及びこれに電気的に接続されるブラケット４１ａ，４１ｂとコイル３０やその引出線３１ａ，３１ｂとの間の絶縁を確保できる。
【００３５】
［２．第２実施形態］
［２−１．構成］
図６から図１２を使用して、本発明の第２実施形態を説明する。第２実施形態の基本的な構成は、第１実施形態と同様であるので、異なる部分にのみを説明して、共通な部分は省略する。
【００３６】
第２実施形態は、２本の脚部１１ａ，１１ｂの間に、脚部１１ａ，１１ｂと平行にヨーク部１２ａ，１２ｂと接続する中央磁脚１１ｃを設け、前記ヨーク部１２ａ，１２ｂを中央磁脚１１ｃの両側で分割したものである。中央磁脚１１ｃの外周には、各筒形の絶縁材１５ｃが設けられ、この絶縁材１５ｃによって両側のコイル３０との絶縁が確保されている。
【００３７】
２つのブラケット４１ａ，４１ｂを締結するねじ４５についても、前記第１実施形態では引出線側のねじ４５にのみ絶縁材４６を設けたが、第２実施形態では、ねじ４５と中央磁脚１１ｃとの絶縁を確保するために、２本のねじ４５のそれぞれに絶縁材４６が設けられている。
【００３８】
２つのブラケット４１ａ，４１ｂに設けられて、ヨーク部１２ａ，１２ｂの短辺側を外側から保持する２つの保持板４２には、雌ねじを形成したねじ穴４２ａが設けられ、このねじ穴４２ａにねじ４２ｂが挿入されている。ねじ４２ｂの先端は、ブラケット４１ａ，４１ｂとヨーク部１２ａ，１２ｂの端面との間に配設された絶縁紙４２ｃを介して、ヨーク部１２ａ，１２ｂの端面を押圧するので、２つに分割されたヨーク部１２ａ，１２ｂと、その間に挟まれた中央磁脚１１ｃを締め付けて固定できる。
【００３９】
更に、第２実施形態では、引出線を引き出す側のブラケット４１ｂにおける引出線側とは反対側の縁に、リアクトルの内側に向かって屈曲した保護板４９を設け、この保護板４９によってケース４０内部のボビン２０やコイル３０を覆っている。
【００４０】
［２−２．作用・効果］
前記のような構成を有する第２実施形態のリアクトルも、第１の実施形態と同様にして組み立てることができる。その結果、前記第１実施形態に記載した
（１）凹部２０ｅ，２０ｆによる引出線３１ａ，３１ｂの固定、
（２）ボビン２０によるコイル３０の端部の絶縁性能の向上、
（３）ボビンの保持部によるヨーク部１２ａ，１２ｂの位置決め、
等の効果が、第２実施形態でも同様に発揮される。
【００４１】
それに加えて、ブラケット４１ａ，４１ｂに設けたねじ４２ｂによって、分割したヨーク部１２ａ，１２ｂ及び中央磁脚１１ｃをしっかりと固定できる効果もある。また、ブラケット４１ｂに保護板４９を設けたので、ボビン２０やコイル３０が外部の部品と接触して損傷することを防止したり、保護板部分を利用してリアクトルを蓋の部材に固定できる利点も有する。
【００４２】
［３．他の実施形態］
本発明は前記実施形態に限定されるものではなく、以下のような他の実施形態も含有する。
【００４３】
（１）本明細書において、上下のヨーク部、左右の脚部とは、これらの部材相互の位置関係を分かり易くするために便宜的に付けた方向であって、各部材の配置方向を限定するものではない。実際の磁性コアやリアクトルの使用時には、種々の方向に配置されることは当然である。
【００４４】
（２）磁性コアを構成する材料としては、フェライトとフェライト、フェライトとセンダストやＦｅＳｉ系のダストコア、ダストコアとダストコアの組み合わせを使用することができ、これらの材料とギャップ寸法を調整することで、種々のリアクタ特性を有するリアクトルを得ることができる。
【００４５】
（３）脚部１１ａ，１１ｂについては、複数の柱状のコア材を同軸に配置する以外に、中央部にギャップが不要な場合には、１本の柱状のコア材を使用しても良い。
【００４６】
（４）図示の実施形態では、ケースを構成する２つのブラケットを脚部と平行に配置した２本のねじ４５によって固定したが、このねじ４５の位置は必ずしも２つのコイル３０の間に配置する必要はなく、コイル３０の外側に脚部と平行に設けても良い。また、ねじ４５の本数は２本に限定されるものではなく、それよりも多くても良いし、２つのブラケットの一部をフックなどで連結し、その反対側を１本のねじで締結しても良い。
【００４７】
（５）第２実施形態において、脚部と平行にヨーク部１２ａ，１２ｂを接続する中央磁脚を設けるに当たって、ヨーク部１２ａ，１２ｂを中央磁脚の両側で分割したが、ヨーク部１２ａ，１２ｂは第１実施形態のように１部材としておき、中央磁脚として、コイル３０を装着した脚部１１ａ，１１ｂと同様に、磁脚の端部がヨーク部１２ａ，１２ｂの表面に接触するものを使用しても良い。その場合、ヨーク部１２ａ，１２ｂの表面に凹部を設けて、その凹部に中央磁脚１１ｃの端部を配置することもできる。
【００４８】
（６）図示の実施形態では、４つのコイル３０のボビンを同一形状としたが、引出線の方向が予め決まっている場合などは、その部分に使用するボビンのみを引出線の固定部を有するものとし、他のボビンは引出線の固定部のないものを使用することもできる。
【００４９】
（７）図示の実施形態では、脚部の両端に設けるボビンを４個として、両側の脚部にそれぞれボビンを配置したが、従来技術と同様に、同じヨーク部側の２つのボビンをメガネ状に一体化することによって、２つのボビンを使用してリアクトルを構成することもできる。
【００５０】
（８）図示の実施形態では、コアやボビンを挟持する左右のブラケットを引出線の引出方向に合わせて異なる形状としたが、同一形状のブラケットを使用することも可能である。
【符号の説明】
【００５１】
１０…コア
１１ａ，１１ｂ…脚部
１２ａ，１２ｂ…ヨーク部
１３…コア材
１４…スペーサ
１５…絶縁材
１６…凹部
２０…ボビン
２０ａ…内筒
２０ｂ…外筒
２０ｃ…端面板
２０ｄ…引出線固定部
２０ｅ，２０ｆ…凹部
２０ｇ…蓋
２０ｊ，２０ｋ…ヨーク部の保持部
３０…コイル
３１ａ，３１ｂ…引出線
３２…接続金具
３３…絶縁部材
４０…ケース
４１ａ，４１ｂ…ブラケット
４２…保持板
４２ａ…ねじ穴
４２ｂ…ねじ
４２ｃ…絶縁紙
４３…支持板
４４ａ，４４ｂ…ねじ
４５…ねじ
４６…絶縁材
【図１】
0005893505.tif 000002
【図２】
0005893505.tif 000003
【図４】
0005893505.tif 000004
【図５】
0005893505.tif 000005
【図３】
0005893505.tif 000006
【図６】
0005893505.tif 000007
【図７】
0005893505.tif 000008
【図８】
0005893505.tif 000009
【図９】
0005893505.tif 000010
【図１０】
0005893505.tif 000011
【図１１】
0005893505.tif 000012
【図１２】
0005893505.tif 000013
【図１３】
0005893505.tif 000014